(57)【要約】【課題】  各種の有料使用機器の料金支払いに使用される前払いチケットを安価、確実な手段で実現する。【解決手段】  貨幣の収受及び識別を行なう貨幣収受／識別部２と、所定額の貨幣の収受に応じて紙片に券面情報を印字して前払いチケットＴを作成するプリンタ６と、これらを制御する制御部１を発券機Ｂに備え、紙片に印字される券面情報には有料使用機器が作動の可否を判定するに際し前払いの事実を確認するための数字又は文字からなる認証キーＴ１を含ませる。【選択図】      図１
0003114625.tif 000002
【実用新案登録請求の範囲】
【請求項１】
貨幣の収受及び識別を行なう貨幣収受／識別部と、所定額の貨幣の収受に応じて紙片に券面情報を印字して前払いチケットを作成するプリンタと、これらを制御する制御部を備え、紙片に印字される券面情報には有料使用機器が作動の可否を判定するに際し前払いの事実を確認するための数字又は文字からなる認証キーを含むことを特徴とする前払いチケットの発券機。
【請求項２】
事前に複数の認証キーを蓄積しておくための記憶部を設けると共に、外部の記憶メディアを着脱自在に接続するための記憶メディアスロットを設け、上記記憶メディアを介して前払い料金の管理のためのサーバとの間で記憶部への新規の認証キーのダウンロード及び記憶部からの販売済の認証キーのアップロードを行なう請求項１記載の前払いチケットの発券機。
【請求項３】
事前に複数の認証キーを蓄積しておくための記憶部を設けると共に、ネットワークを介して前払い料金の管理のためのサーバとの間で通信を行なうためのネットワーク接続端子を設け、上記ネットワークを介してサーバとの間で記憶部への新規の認証キーのダウンロード及び記憶部からの販売済の認証キーのアップロードを行なう請求項１記載の前払いチケットの発券機。
【請求項４】
ネットワークを介して前払い料金の管理のためのサーバとの間で通信を行なうためのネットワーク接続端子を設け、券面情報を印字するに際してサーバから新規の認証キーの提供を受ける請求項１記載の前払いチケットの発券機。
【考案の詳細な説明】
【技術分野】
【０００１】
この考案は、ホテルや病院等の各種施設における各種の有料使用機器の料金支払いに使用される前払いチケットの発券機に関する。
【背景技術】
【０００２】
例えばホテルや病院においては、例えば、時間貸しテレビや時間貸し冷蔵庫等の有料使用機器が普及しており、これらの料金徴収手段としてプリペイドカードが使用されている（公知例としては、特許文献１、特許文献２）。上記プリペイドカードは購入金額に基づく度数情報を予め磁気記録手段によりカードに付加したものであり、売店や自動販売機により販売に供していた。
【特許文献１】特開平１０−２００８７４号公報
【特許文献２】特開平０９−３２６０８５号公報
【考案の開示】
【考案が解決しようとする課題】
【０００３】
前記のプリペイドカードは販売手段が容易な反面、次のような問題を孕んでいた。
(1)カードは磁気情報を保持する層及び外力によりそれが損傷しない程度の剛性を要するベース層を要することから製造コストを要し、更にそれに情報を記録するためのコストを勘案すると、それなりの原価を要した。
(2)売店や自動販売機においては予め販売見込みを立てて所要枚数のカードを備蓄しておかなければならず、前記の原価を考慮した場合無駄が多かった。
(3)購入金額に基づく度数情報はあくまでもカードに化体されるので、盗難や改竄されたカードであっても有料使用機器側ではそれを認識できなかった。
(4)自動販売機側は単にカードを供給する機構を備えれば済んだが、有料機器側においては個々に磁気情報を読み書きするリーダ／ライターを備えなくてはならず施設単位で捉えた場合は設備投資費用が嵩んだ。
【課題を解決するための手段】
【０００４】
この考案は以上の従来技術の問題点を解消するために創作されたものであり、この考案の前払いチケットの発券機は貨幣の収受及び識別を行なう貨幣収受／識別部と、所定額の貨幣の収受に応じて紙片に券面情報を印字して前払いチケットを作成するプリンタと、これらを制御する制御部を備え、紙片に印字される券面情報には有料使用機器が作動の可否を判定するに際し前払いの事実を確認するための数字又は文字からなる認証キーを含むことを特徴とする。
【０００５】
前記認証キーに関しては、事前に複数の認証キーを蓄積しておくための記憶部を設けると共に、外部の記憶メディアを着脱自在に接続するための記憶メディアスロットを設け、上記記憶メディアを介して前払い料金の管理のためのサーバとの間で記憶部への新規の認証キーのダウンロード及び記憶部からの販売済の認証キーのアップロードを行なうようにしてもよい。
【０００６】
又、事前に複数の認証キーを蓄積しておくための記憶部を設けると共に、ネットワークを介して前払い料金の管理のためのサーバとの間で通信を行なうためのネットワーク接続端子を設け、上記ネットワークを介してサーバとの間で記憶部への新規の認証キーのダウンロード及び記憶部からの販売済の認証キーのアップロードを行なうようにしてもよい。      
【０００７】
又、ネットワークを介して前払い料金の管理のためのサーバとの間で通信を行なうためのネットワーク接続端子を設け、券面情報を印字するに際してサーバから新規の認証キーの提供を受けるようにしてもよい。
【考案の効果】
【０００８】
以上の構成からなるこの考案は次の特有の効果を奏する。
(1)前払い情報は認証キーとして紙片に印刷されるので、従来技術のような磁気カードを要さず、カードの原価を軽減することができる。
(2)前払い情報は認証キーとして紙片に印刷されるので、同時に領収金額を印字することにより紙片を領収書と兼用することができ、従来技術のプリペイドカードの自動販売機ではコストの問題から実現が困難であった領収書の発行が低コストで可能となる。
(3)前払い情報はその場で認証キーとして紙片に印刷されて前払いチケットが制作されるので、従来技術のように予め販売見込みを立てて所要枚数のカードを備蓄する必要がなく、無駄が無い。
(4)前払い情報は認証キーに化体されて、有料使用機器側で保持している認証情報と照合されるので、盗難や改竄に関して従来の磁気記録式のプリペイドカードの場合のような弊害が生じない。
(5)前払いチケットの発券機側においては認証キーを紙片に印刷する機構を要するが、個々の有料機器側においては磁気情報を読み書きするリーダ／ライターが不要となるので施設単位で捉えた場合は設備投資費用が軽減される。
【考案を実施するための最良の形態】
【０００９】
以下、この考案の具体的実施例を添付図面に基づいて説明する。図１及び図２はこの考案の発券機Ｂの一例を示す図である。図１は発券機の電気回路を示すブロック図であり、図中符号２は投入された紙幣等の貨幣を検出して真贋を判定するための貨幣収受／識別部、６は所定額の貨幣の収受に応じて紙片に認証キー等の券面情報を印字して前払いチケットＴを作成するプリンタであり、これらはコンピュータからなる制御部１により制御される。図中符号３は所定の作動を発券機Ｂに行なわさせるための操作部、４は作動状態を示すための表示部である。
【００１０】
一方、図中符号８はＵＳＢメモリーやカードメモリー等の外部の記憶メディアを着脱自在に接続するための記憶メディアスロット、７はネットワークに接続するためのＬＡＮポートである。
【００１１】
図２は発券機Ｂの外観を示す図であり、図中符号２Ａは貨幣収受／識別部２に連続する貨幣投入口、６Ａはプリンタ６に連続するチケットの排出口、４Ａは作動状態に応じて点灯する表示ランプである。
【００１２】
図３はこの考案の発券機Ｂから発券される前払いチケットＴの一例を示す図である。ここでは紙片には数字列からなる認証コードＴ１の他に、領収金額Ｔ２が券面情報と印字され、更にチケットの使用方法Ｔ３も印字される。
【００１３】
前記したように、この考案においては前払い情報は外部から供給される認証キーに化体される。図４は発券機Ｂに対する認証キーの供給手段に関する第１実施例のブロック図であり、ここでは認証キーは可搬性に富む外部の記憶メディアＭを介して供給される。
【００１４】
図中符号Ｓは前払い料金の管理のためのサーバであり、ここにおいて乱数を生成して認証キーを作成し、これらは施設Ｈに設置してある各種の有料使用機器の制御装置に予め蓄積される。そして、上記認証キーは記憶メディアＭに蓄積されて施設まで運ばれ、発券機Ｂの記憶メディアスロット８に接続された記憶メディアから発券機の記憶部５にダウンロードされる。一方、発券機Ｂにおいてはチケットの発売に際して記憶部５から一つの認証キーを取り出して印字し、発売済みの認証キーにはその旨のフラグを付して記憶部５に記憶しておく。又、管理者は発券機からの貨幣の回収の際に記憶メディアＭを記憶メディアスロット６に接続して記憶部５から発売済みを示すフラグと共に認証キー情報をアップロードし、それをサーバＳにダウンロードして前払い料金の管理を行なう。
【００１５】
図５は発券機Ｂに対する認証キーの供給手段に関する第２実施例及び第３実施例のブロック図である。これらの実施例においては発券機ＢはネットワークＮを介して前払い料金の管理のためのサーバＳに接続される。この場合、施設Ｈに設置してある各種の有料使用機器Ｔは発券機Ｂも接続される施設内のＬＡＮ１０に接続され、上記ＬＡＮはルータＲを介してインターネット等のネットワークＮに接続される。
【００１６】
図５において第２実施例の場合は、発券機ＢはネットワークＮを介してサーバＳとの間で記憶部５への新規の認証キーのダウンロード及び記憶部からの発売済の認証キーのアップロードを行なう。この実施例においては認証キーの転送手段以外の構成は前記の第１実施例の場合と共通するが、サーバーから発券機の記憶部に蓄積されている認証キーの情報を随時閲覧管理することが可能となり、又、各種の有料使用機器の制御部への認証キーの蓄積もネットワークを介して行なうことが可能となる。
【００１７】
一方、第３実施例の場合は、券面情報を印字するに際してサーバＳから新規の認証キーの提供を受ける。即ち、この場合はサーバＳにおいては施設毎、発券機毎に認証キーをデタベース化して、発券機からの要求に応じて転送できるように待機している。
【００１８】
尚、以上の各実施例においては認証キーは全て暗号化されて転送され、印字する直前に発券機内部で復号化される。
【図面の簡単な説明】
【００１９】
【図１】この考案の前払いチケットの発券機の電気回路のブロック図。
【図２】この考案の前払いチケットの発券機の正面図。
【図３】この考案の前払いチケットの発券機から発券される前払いチケットの平面図。
【図４】この考案の前払いチケットの発券機への認証キーの供給手段に関する第１実施例のブロック図。
【図５】同上第２実施例及び第３実施例のブロック図
【符号の説明】
【００２０】
Ｂ              前払いチケットの発券機
Ｔ              前払いチケット
２              貨幣収受／識別部
６              プリンタ
【図１】
0003114625.tif 000003
【図２】
0003114625.tif 000004
【図３】
0003114625.tif 000005
【図４】
0003114625.tif 000006
【図５】
0003114625.tif 000007